(57)【要約】【課題】ベルトの継ぎ目がプーリの外周面に乗り上げて、継ぎ目に負荷が掛かる。【解決手段】下部に供給ホッパー３を上部に上部ケース５を夫々設けた上下方向に長いケース１の上下側に上側プーリ１０と下側プーリー１１を軸装し、該上側プーリ１０と下側プーリー１１とにバケット１３を設けたベルト１５を掛け回し、該ベルト１５は、一方側端部１６Ａと他方側端部１６Ｂの両端を切り離した一枚状の所定長さを有するベルト体１６を、前記一方側端部１６Ａと他方側端部１６Ｂとを固定部材１７により連結して無端状に構成し、前記一方側端部１６Ａと他方側端部１６Ｂとを固定部材１７により連結して構成した継ぎ目部Ｔは、移動するベルト１５の内面に対して外側に位置させる構成としたバケットコンベア装置。【選択図】図８
2010275104.tif 000002
【特許請求の範囲】
【請求項１】
下部に供給ホッパー３を上部に上部ケース５を夫々設けた上下方向に長いケース１の上下側に上側プーリ１０と下側プーリー１１を軸装し、該上側プーリ１０と下側プーリー１１とに、所定間隔を置いてバケット１３を複数設けたベルト１５を掛け回し、該ベルト１５は、一方側端部１６Ａと他方側端部１６Ｂの両端を切り離した一枚状の所定長さを有するベルト体１６を、前記一方側端部１６Ａと他方側端部１６Ｂとを固定部材１７により連結して無端状に構成し、前記一方側端部１６Ａと他方側端部１６Ｂとを固定部材１７により連結して構成した継ぎ目部Ｔは、移動するベルト１５の内面に対して外側に位置させる構成としたバケットコンベア装置。
【請求項２】
請求項１において、前記固定部材１７はベルト体１６の移動方向と交差する挾持部１９を有する一対の挾持体１８により構成し、前記一方側端部１６Ａと他方側端部１６Ｂは、前記ベルト１５の内面に対して外側に突出させ、かつ、前記ベルト体１６の一方側端部１６Ａの内面と他方側端部１６Ｂの内面とを対峙させて当接させた状態で、該一方側端部１６Ａと他方側端部１６Ｂの夫々の外面側から前記一対の挾持体１８の挾持部１９により挟持し、前記一方側端部１６Ａおよび他方側端部１６Ｂと一対の挾持部１９を止め部材２１により固定したバケットコンベア装置。
【請求項３】
請求項２において、前記止め部材２１は、その軸心方向をベルト１５の移動方向と略平行で、前記一方側端部１６Ａと他方側端部１６Ｂと一対の挾持体１８の挾持部１９を貫通して、前記一方側端部１６Ａと他方側端部１６Ｂと一対の挾持体１８を固定したバケットコンベア装置。
【請求項４】
請求項２または請求項３において、前記一方側端部１６Ａと他方側端部１６Ｂと一対の挾持体１８の挾持部１９により構成した継ぎ目部Ｔは、前記ベルト１５に設けたバケット１３の移動軌跡より内側に位置させたバケットコンベア装置。
【請求項５】
請求項２または請求項３または請求項４において、前記固定部材１７の各挾持体１８の挾持部１９はベルト体１６の移動方向と平行方向に屈曲させて押さえ部２５を設けたバケットコンベア装置。
【請求項６】
請求項５において、前記押さえ部２５は、挾持部１９の左右両側を夫々屈曲させて一体状に形成し、左右の押さえ部２５の間に切り欠いた空間部２６を形成したバケットコンベア装置。
【請求項７】
請求項６において、前記空間部２６は、左右の押さえ部２５の間の挾持部１９の下面にも形成したバケットコンベア装置。
【請求項８】
請求項６または請求項７において、前記左右の押さえ部２５と空間部２６との関係は、左右の押さえ部２５の左右幅より空間部２６の左右幅を大きく形成したバケットコンベア装置。
【請求項９】
請求項５または請求項６または請求項７または請求項８において、前記押さえ部２５は、挾持部１９との間に側面視において直角より大きい角度を有して屈曲する構成としたバケットコンベア装置。
【請求項１０】
取り付けようとするバケット１３の左右幅より広い左右幅を有し、かつ、所定厚さをのベルト体１６を、一枚状の所定長さに切断し、ベルト体１６の両端に一方側端部１６Ａと他方側端部１６Ｂを夫々形成し、該ベルト体１６の一方側端部１６Ａと他方側端部１６Ｂとをベルト体１６の外面側に夫々屈曲させ、ベルト体１６の一方側端部１６Ａの内面と他方側端部１６Ｂの内面とを対峙させて重ね、一方側端部１６Ａの外面と他方側端部１６Ｂの外面の夫々に固定部材１７の挾持部１９を当てがって、一方側端部１６Ａおよび他方側端部１６Ｂを一対の固定部材１７により挟持し、一対の固定部材１７を一方側端部１６Ａおよび他方側端部１６Ｂごと止め部材２１により固定し、固定部材１７と一方側端部１６Ａおよび他方側端部１６Ｂにより構成される継ぎ目部Ｔがベルト１５の内面に対して外側に位置して移動するようにしたバケットコンベア装置の組立方法。
【発明の詳細な説明】
【技術分野】
【０００１】
本発明は、バケットコンベア装置およびその組立方法に係るものである。
【背景技術】
【０００２】
従来、上下のプーリに掛け回した上下方向に回転するベルトと、該ベルトに所定間隔を置いて複数設けたバケットとにより穀粒を上昇搬送させる構成は、公知である（特許文献１参照）。
また、バケットコンベア装置の分野ではベルトを無端状にする構成に関する文献は存在せず、勿論、前記特許文献１にベルトの具体的構成の記載は存在しない。
しかし、一般的なベルトを無端状にする方法として、樹脂等を成形して当初より継ぎ目のないベルトにする構成はよく知られているが、製造コストが高くなる。
従来、バケットコンベア装置の分野ではないが、一枚状の所定長さを有するように、一方側端部と他方側端部を有してベルト体を切断し、このベルト体の一方側端部と他方側端部とを連結して無端状にする構成は、公知である（特許文献２参照）。
その構成は、ベルト体の一方側端部および他方側端部の夫々の外面と内面とを別個の固定部材により挟んで固定し、一方側端部の固定部材と他方側端部の固定部材との一対の固定部材同士をボルトとナットとにより互いに連結する構成である。
【先行技術文献】
【特許文献】
【０００３】
【特許文献１】特公昭６２−２４３２４号公報
【特許文献１】特開２００１−１７３７２７号公報
【発明の概要】
【発明が解決しようとする課題】
【０００４】
前記公知例のうち特公昭６２−２４３２４号公報には、ベルトを無端状にする構成は開示されていない。
前記公知例のうち、特開２００１−１７３７２７号公報に記載されたものは、ベルト体の一方側端部の外面と内面とを挟むようにして固定部材を固定し、同様に、他方側端部の外面と内面とを挟むようにして固定部材を固定し、この一対の固定部材同士をボルトとナットとにより連結する構成のため、構造が複雑であり、製造・組立コストが高くなるという課題がある。
また、固定部材は、ベルト体の一方側端部と他方側端部の夫々の外面と内面とを挟んでいるので、固定部材の一部が必ずベルトの内面側に位置し、そのため、ベルトが回転すると、ベルト体の一方側端部と他方側端部とを連結した継ぎ目部が上側プーリおよび下側プーリーの外周面に乗り上げるように接触して、継ぎ目部が上側プーリおよび下側プーリーの外周面に乗り上げる度に、継ぎ目部の部分には継ぎ目部以外の部分のベルト体に掛かる荷重よりも大なる荷重が掛かり、継ぎ目部部分のベルトの耐久性が低下し、また、振動・騒音の原因となる課題がある。
本発明は、ベルト体の一方側端部と他方側端部の連結構成を工夫し、ベルトの耐久性を向上させ、振動・騒音を軽減するようにしたものである。
【課題を解決するための手段】
【０００５】
本発明は、下部に供給ホッパー３を上部に上部ケース５を夫々設けた上下方向に長いケース１の上下側に上側プーリ１０と下側プーリー１１を軸装し、該上側プーリ１０と下側プーリー１１とに、所定間隔を置いてバケット１３を複数設けたベルト１５を掛け回し、該ベルト１５は、一方側端部１６Ａと他方側端部１６Ｂの両端を切り離した一枚状の所定長さを有するベルト体１６を、前記一方側端部１６Ａと他方側端部１６Ｂとを固定部材１７により連結して無端状に構成し、前記一方側端部１６Ａと他方側端部１６Ｂとを固定部材１７により連結して構成した継ぎ目部Ｔは、移動するベルト１５の内面に対して外側に位置させる構成としたバケットコンベア装置としたものである。
本発明は、前記固定部材１７はベルト体１６の移動方向と交差する挾持部１９を有する一対の挾持体１８により構成し、前記一方側端部１６Ａと他方側端部１６Ｂは、前記ベルト１５の内面に対して外側に突出させ、かつ、前記ベルト体１６の一方側端部１６Ａの内面と他方側端部１６Ｂの内面とを対峙させて当接させた状態で、該一方側端部１６Ａと他方側端部１６Ｂの夫々の外面側から前記一対の挾持体１８の挾持部１９により挟持し、前記一方側端部１６Ａおよび他方側端部１６Ｂと一対の挾持部１９を止め部材２１により固定したバケットコンベア装置としたものである。
本発明は、前記止め部材２１は、その軸心方向をベルト１５の移動方向と略平行で、前記一方側端部１６Ａと他方側端部１６Ｂと一対の挾持体１８の挾持部１９を貫通して、前記一方側端部１６Ａと他方側端部１６Ｂと一対の挾持体１８を固定したバケットコンベア装置としたものである。
本発明は、前記一方側端部１６Ａと他方側端部１６Ｂと一対の挾持体１８の挾持部１９により構成した継ぎ目部Ｔは、前記ベルト１５に設けたバケット１３の移動軌跡より内側に位置させたバケットコンベア装置としたものである。
本発明は、前記固定部材１７の各挾持体１８の挾持部１９はベルト体１６の移動方向と平行方向に屈曲させて押さえ部２５を設けたバケットコンベア装置としたものである。
本発明は、前記押さえ部２５は、挾持部１９の左右両側を夫々屈曲させて一体状に形成し、左右の押さえ部２５の間に切り欠いた空間部２６を形成したバケットコンベア装置。
としたものである。
本発明は、前記空間部２６は、左右の押さえ部２５の間の挾持部１９の下面にも形成したバケットコンベア装置としたものである。
本発明は、前記左右の押さえ部２５と空間部２６との関係は、左右の押さえ部２５の左右幅より空間部２６の左右幅を大きく形成したバケットコンベア装置としたものである。
本発明は、前記押さえ部２５は、挾持部１９との間に側面視において直角より大きい角度を有して屈曲する構成としたバケットコンベア装置としたものである。
本発明は、取り付けようとするバケット１３の左右幅より広い左右幅を有し、かつ、所定厚さをのベルト体１６を、一枚状の所定長さに切断し、ベルト体１６の両端に一方側端部１６Ａと他方側端部１６Ｂを夫々形成し、該ベルト体１６の一方側端部１６Ａと他方側端部１６Ｂとをベルト体１６の外面側に夫々屈曲させ、ベルト体１６の一方側端部１６Ａの内面と他方側端部１６Ｂの内面とを対峙させて重ね、一方側端部１６Ａの外面と他方側端部１６Ｂの外面の夫々に固定部材１７の挾持部１９を当てがって、一方側端部１６Ａおよび他方側端部１６Ｂを一対の固定部材１７により挟持し、一対の固定部材１７を一方側端部１６Ａおよび他方側端部１６Ｂごと止め部材２１により固定し、固定部材１７と一方側端部１６Ａおよび他方側端部１６Ｂにより構成される継ぎ目部Ｔがベルト１５の内面に対して外側に位置して移動するようにしたバケットコンベア装置の組立方法としたものである。
【発明の効果】
【０００６】
請求項１の発明では、ベルト１５を無端状とする継ぎ目部Ｔが存在しても、継ぎ目部Ｔは移動するベルト１５の内面に対して外側に位置するので、上側プーリ１０および下側プーリー１１に接触せず、そのため、継ぎ目部Ｔの部分に継ぎ目部Ｔ以外の部分のベルト体１６に掛かる荷重よりも大なる荷重が掛かることを抑制し、継ぎ目部Ｔ部分のベルト１５の耐久性を低下させず、また、振動・騒音の発生を抑制することができる。
請求項２の発明では、固定部材１７はベルト体１６の移動方向と交差する挾持部１９を有する挾持体１８により構成し、ベルト１５の内面に対して外側に突出する一方側端部１６Ａと他方側端部１６Ｂの夫々の外面側から一対の挾持体１８の挾持部１９により挟持しているので、継ぎ目部Ｔを移動するベルト１５の内面に対して外側に位置させる構成を、簡単に実現できる。
請求項３の発明では、止め部材２１の軸心方向をベルト１５の移動方向と略平行にして、一方側端部１６Ａと他方側端部１６Ｂと挾持部１９を貫通させて取り付けているので、一層、止め部材２１が上側プーリ１０および下側プーリー１１に接触することを防止でき、振動・騒音の発生を防することができ、継ぎ目部Ｔおよび上側プーリ１０と下側プーリー１１の破損を防止することができる。
請求項４の発明では、継ぎ目部Ｔは、ベルト１５に設けたバケット１３の移動軌跡より内側に位置させているので、継ぎ目部Ｔが本体ケース１内の他の部材と接触するのを防止することができる。
請求項５の発明では、固定部材１７の各挾持体１８の挾持部１９には押さえ部２５を設けているので、押さえ部２５はベルト体１６の一方側端部１６Ａおよび他方側端部１６Ｂとが、ベルト１５の外面に対して側方に突出させるように保持することができ、継ぎ目部Ｔを、移動するベルト１５の内面に対して常時外側に位置させることができる。
請求項６の発明では、左右の押さえ部２５の間に切り欠いた空間部２６を形成しているので、固定部材１７の押さえ部２５と下側プーリー１１との重なる部分の面積を一層小さくして、ベルト１５と下側プーリー１１との間への穀粒の侵入を防止し、また、ベルト１５の振動発生を抑制することができる。
請求項７の発明では、前記空間部２６は、左右の押さえ部２５の間の挾持部１９の下面にも形成しているので、固定部材１７の挾持部１９と下側プーリー１１との重なる部分の面積を一層小さくして、ベルト１５と下側プーリー１１との間への穀粒の侵入を防止し、また、ベルト１５の振動発生を抑制することができる。
請求項８の発明では、左右の押さえ部２５の左右幅より空間部２６の左右幅を大きく形成しているので、押さえ部２５による継ぎ目部Ｔの側方突出状態の保持の確実性を確保した上で、ベルト１５と下側プーリー１１との間への穀粒の侵入を防止し、また、ベルト１５の振動発生を抑制することができる。
請求項９の発明では、押さえ部２５を挾持部１９との間に側面視において直角より大きい角度を有して屈曲させているので、固定部材１７部分のベルト１５と下側プーリー１１の外周面との間の隙間Ｓを小さくでき、穀粒がベルト１５の内面と下側プーリー１１の外面との間に入るのを防止できる。
請求項１０の発明では、継ぎ目部Ｔが移動するベルト１５の内面に対して外側に位置するようにさせる方法を簡単に提供できる。
【図面の簡単な説明】
【０００７】
【図１】バケットコンベア装置の側面図。
【図２】バケットコンベア装置の正面図。
【図３】バケットコンベア装置の縦断側面図。
【図４】下側プーリー付近の縦断側面図。
【図５】バケットコンベア装置の横断平面図。
【図６】継ぎ目部の組立順序説明図。
【図７】継ぎ目部の斜視図。
【図８】継ぎ目部の縦断側面図。
【図９】固定部材の正面図。
【図１０】同平面図。
【図１１】同縦断側面図。
【図１２】継ぎ目部の横断平面図。
【図１３】プーリの縦断正面図。
【図１４】同側面図。
【図１５】継ぎ目部のプーリ周面の移動状態断面図。
【図１６】下側プーリーの他の実施例の斜視図。
【図１７】同側面図。
【図１８】同縦断正面図。
【図１９】同底面図。
【発明を実施するための最良の形態】
【０００８】
本発明の実施例を図面により説明すると、１はバケットコンベアＢの縦に長いケースであり、本体ケース１の下部ケース２には供給ホッパー３を設けている。下部ケース２の上方には上下に複数の中間ケース４を取付け、最上方位置の中間ケース４に上部ケース５を取付ける。上部ケース５には排出口（落ち口）６を設ける。７は中間ケース４に設けた点検用窓、８は駆動モータである。
ケース１内の上下位置には上下一対の上側プーリ１０と下側プーリー１１を軸装する。上側プーリ１０と下側プーリー１１にはバケット１３を取付けた無端状のベルト１５を掛け回す。
上側プーリ１０と駆動モータ８とはチエンまたはベルトにより回転伝達し、ベルト１５を駆動回転させる。
１４は上側プーリ１０を上下させてベルト１５の張り具合を調節する長孔であり（図３）、図示は省略するが、ベルト１５の張り具合を調節するテンショ機構を設けている。
【０００９】
ベルト１５はバケット１３の左右幅（理解を容易にするために方向を示して、以下説明するが、これによって構成は限定されない）と略同一幅を有したベルト体１６の両端を固定部材１７により固定して無端状に形成する。
固定部材１７は、一対の挾持体１８によりベルト体１６の一方側端部１６Ａと他方側端部１６Ｂとを上下（前後）に挟持する。
挾持体１８は、ベルト体１６の移動方向と交差する挾持部１９を有して形成する。挾持部１９の左右幅はベルト体１６の左右幅より狭く形成する（図１１）。挾持部１９には複数の取付孔２０を形成し（図６，図８）、一方側端部１６Ａと他方側端部他方側端部１６Ｂとを挾持部１９により挟んで止め部材２１により固定する。
即ち、取付けようとする前記バケット１３の左右幅より広い左右幅を有して所定厚さのベルト体１６を、一枚状の所定長さに切断し、各ベルト体１６の両端に一方側端部１６Ａと他方側端部他方側端部１６Ｂを夫々形成する。
【００１０】
次に、一方側端部１６Ａと他方側端部他方側端部１６Ｂは、ベルト体１６の移動方向に対して交差方向となる側方に折り曲げ、一方側端部１６Ａと他方側端部他方側端部１６Ｂの中間の中間ベルト部１６Ｃより側方に突出させて、ベルト体１６の一方側端部１６Ａの内面と他方側端部１６Ｂの内面とを対峙させて重ねる。
したがって、図８の状態で、ベルト体１６の一方側端部１６Ａと他方側端部１６Ｂは上下に重なって、ベルト１５の外面側に突出している。
次に、一方側端部１６Ａの外面（上面）と他方側端部１６Ｂの外面（下面）の夫々に一対の挾持体１８の一方側挾持部１９Ａと他方側挾持部１９Ｂを夫々当てがって、一方側端部１６Ａおよび他方側端部１６Ｂを一対の挾持体１８により挟持する（図８）。
この一方側端部１６Ａおよび他方側端部１６Ｂと一対の挾持部１９とに止め部材２１を貫通させて固定する。
【００１１】
この場合、前記止め部材２１はボルト２１Ａとナット２１Ｂにより構成し、ボルト２１Ａとナット２１Ｂの軸心方向をベルト１５の移動方向と略平行にして、前記一方側端部１６Ａと他方側端部１６Ｂと一対の挾持体１８の挾持部１９を貫通させるので、止め部材２１は必ずベルト１５の移動方向の外面側に位置して、前記上側プーリ１０および下側プーリー１１とは直接接触しない。
このように、無端状のベルト１５とする、固定部材１７とベルト体１６の一方側端部１６Ａおよび他方側端部１６Ｂにより構成される継ぎ目部（連結部）Ｔは常時ベルト体１６の外周面側に位置して、継ぎ目部Ｔと上側プーリ１０および下側プーリー１１の外周面とを接触させず、継ぎ目部Ｔと上側プーリ１０および下側プーリー１１の損傷あるいはベルト１５の一部が千切れる等の破損を防止する。
【００１２】
即ち、仮に、継ぎ目部Ｔがベルト１５の内面側にあると、継ぎ目部Ｔは上側プーリ１０および下側プーリー１１の外周面に乗り上げるように接触して、継ぎ目部Ｔの部分には継ぎ目部Ｔ以外の部分のベルト体１６に掛かる荷重よりも大なる荷重が掛かり、継ぎ目部Ｔ部分のベルト１５の耐久性が低下するが、本願の継ぎ目部Ｔは、固定部材１７のみならず、ベルト体１６の一方側端部１６Ａおよび他方側端部１６Ｂも上側プーリ１０および下側プーリー１１の外周面に乗り上げることはないから（図１４）、継ぎ目部Ｔが上側プーリ１０および下側プーリー１１の外周を通過するときのベルト１５に掛かる荷重を殆ど変化させず、ベルト１５の耐久性を向上させる。
また、前記一方側端部１６Ａと他方側端部１６Ｂと一対の挾持体１８の挾持部１９により構成した継ぎ目部Ｔは、前記ベルト１５に設けたバケット１３の移動軌跡より内側に位置させ、継ぎ目部Ｔが本体ケース１内の他の部材と接触するのを防止する。
２２はベルト１５の内面側に見える継ぎ目部Ｔの継ぎ目である。
【００１３】
各挾持体１８にはベルト体１６の移動方向と平行方向に屈曲させた押さえ部２５を設ける。押さえ部２５はベルト１５の一方側端部１６Ａおよび他方側端部１６Ｂを、ベルト１５の外面に対して側方に突出させるように作用する。
この場合、押さえ部２５は、ベルト１５の一方側端部１６Ａおよび他方側端部１６Ｂとをベルト１５の外面に対して側方に突出させればよいので、挾持部１９の左右両側に夫々屈曲させて一体状に形成し、左右の押さえ部２５の間に切り欠いた空間部（切欠部）２６を形成する。
したがって、固定部材１７の押さえ部２５と下側プーリー１１との重なる部分の面積が空間部２６の存在する分だけ減少させることができ、ベルト１５の内面と下側プーリー１１の外面との間に穀粒が入る面積を空間部２６により減少させ、穀粒の粉砕を抑制する。
そのため、空間部２６は、左右の押さえ部２５の間の挾持部１９の下面にも形成している。
【００１４】
また、押さえ部２５を挾持部１９の全幅にわたって形成すると、ベルト１５の進行方向に対して押さえ部２５の左右両側の位置が僅かにずれ、ずれた取付位置の部分に荷重が掛かり、そのため、荷重が掛かった側にベルト１５が寄り、寄ったベルト１５はその反力により元に戻るように作用し、その結果、ベルト１５が左右の往復振動の振幅幅が大きくなるが、本願では、押さえ部２５の左右中間部分を切り欠いて空間部２６を形成しているので、固定部材１７の左右の押さえ部２５に夫々に荷重が分散し、押さえ部２５の左右両端の取付位置のずれによるベルト１５の左右振動を抑制する。
左右の押さえ部２５と空間部２６との関係は、左右の押さえ部２５の左右幅より空間部２６の左右幅を大きく形成する。
そのため、固定部材１７の押さえ部２５と下側プーリー１１との重なる部分の面積を一層小さくして、ベルト１５と下側プーリー１１との間への穀粒の侵入を防止し、また、ベルト１５の振動発生を抑制する。
【００１５】
実施例では、左右の押さえ部２５の左右幅と空間部２６の左右幅の比率を、左右の押さえ部２５の左右幅を約「４」とすると空間部２６の左右幅を約「７」とし、約４：７に構成している。
また、押さえ部２５は、挾持部１９との間に側面視において直角より大きい角度を有して屈曲するように構成する（図１０）。
そのため、下側プーリー１１の下面側を固定部材１７が通過するとき、固定部材１７部分のベルト１５と下側プーリー１１の外周面との間に隙間が生じるのを抑制し、穀粒がベルト１５の内面と下側プーリー１１の外面との間に入るのを防止する。
即ち、各押さえ部２５は、挾持部１９との間に側面視において直角より大きい角度を有して夫々屈曲させているので、側面視上下（前後）の押さえ部２５の内面は、下側プーリー１１の外周面に接近し、固定部材１７部分のベルト１５と下側プーリー１１の外周面との間の隙間Ｓを小さくし（図１４）、穀粒がベルト１５の内面と下側プーリー１１の外面との間に入るのを防止する。
【００１６】
図１２と図１３は、上下一対の上側プーリ１０と下側プーリー１１の実施例を示し、取付孔３０を有するボス３１に放射方向に伸びるアーム３２の基部を固定し、アーム３２の先端にドラム３３の内周面を固定して構成する。
図１５〜図１８は、下側プーリー１１の他の実施例を示し、取付孔３０を有するボス３１に円板３５を固定し、円板３５の外周にボス３１の軸心方向と平行の軸部材３６を所定間隔おいて複数設け、ドラム３３を省略して構成する。
この実施例では、軸部材３６は円板３５の外周より放射方向の外側に位置させ、ベルト体１６の内周面に軸部材３６が当接するように構成することにより、下側プーリー１１の外周とベルト体１６の内周面との接触面積を減少させて穀粒の噛み込みを防止している。
この場合、継ぎ目部Ｔの特に固定部材１７と止め部材２１がベルト体１６の外面側を移動して、下側プーリー１１に直接接触しないので、軸部材３６を、円板３５の直径の約十分の一程度の細軸に形成して接触面積を減少させても、継ぎ目部Ｔが円板３５に引っ掛かることはなく、ベルト１５の移動の確実性を確保しつつ、下側プーリー１１の外周とベルト体１６の内周面との接触面積を減少させて穀粒の噛み込みを防止している。
【００１７】
実施例では、円板３５の直径を約２６０ミリメートルとし、軸部材３６の直径を２４ミリメートルとしている。
また、軸部材３６の外面の一部は所謂面取りをして平坦面３９を形成している。
４０は、前記ケース１の下部ケース２の底板であり、前記下側プーリー１１の軸心を中心とする円弧状に形成している。
また、各バケットバケット１３には前記底板４０と摺接する弾性部材により形成した摺接体４２を設けている。
【００１８】
（実施例の作用）
駆動モータ８を駆動してベルト１５を回転駆動させて、バケット１３を移動させた状態で、供給ホッパー３から穀粒を張り込むと、穀粒は回転移動するバケット１３により掬われて上昇し、上部で放擲されて上部ケース５より排出される。
このバケット１３は、ベルト１５の外周面に所定間隔を置いて複数設けられており、ベルト１５は上下一対の上側プーリ１０と下側プーリー１１に掛け回されているので、ベルト１５は無端状に形成している。
ベルト１５を無端状に構成するに際し、樹脂等を成形して当初より継ぎ目のないベルトに構成する場合と、一方側端部１６Ａと他方側端部１６Ｂの両端を切り離した一枚状の所定長さを有するベルト体１６を形成し、このベルト体１６の一方側端部１６Ａと他方側端部１６Ｂとを連結して無端状にすると、簡単に製造でき、製造コストを低くすることができる。
【００１９】
しかし、単にベルト体１６の一方側端部１６Ａと他方側端部１６Ｂとを連結すると、ベルト体１６の一方側端部１６Ａと他方側端部１６Ｂとを連結した継ぎ目部Ｔが上側プーリ１０および下側プーリー１１外周面に乗り上げるように接触して、継ぎ目部Ｔが上側プーリ１０および下側プーリー１１外周面に乗り上げる度に、継ぎ目部Ｔの部分には継ぎ目部Ｔ以外の部分のベルト体１６に掛かる荷重よりも大なる荷重が掛かり、継ぎ目部Ｔ部分のベルト１５の耐久性が低下する
本願の継ぎ目部Ｔは、移動するベルト１５の内面に対して継ぎ目部Ｔのベルト体１６の一方側端部１６Ａおよび他方側端部１６Ｂを外側に位置させているから、継ぎ目部Ｔのベルト体１６の一方側端部１６Ａおよび他方側端部１６Ｂが上側プーリ１０および下側プーリー１１の外周を通過するとき、一方側端部１６Ａおよび他方側端部１６Ｂは上側プーリ１０および下側プーリー１１の外周面に接触せず、乗り上げることはないから、継ぎ目部Ｔが上側プーリ１０および下側プーリー１１の外周を通過するときのベルト１５に掛かる荷重を殆ど変化させず、ベルト１５の耐久性を向上させる。
【００２０】
継ぎ目部Ｔは、ベルト体１６の一方側端部１６Ａと他方側端部１６Ｂとをベルト体１６の外周側に屈曲させ、ベルト体１６の一方側端部１６Ａと他方側端部１６Ｂとを上下（前後）に重ね、一方側端部１６Ａと他方側端部１６Ｂとを固定部材１７により固定するから、一方側端部１６Ａおよび他方側端部１６Ｂと固定部材１７により構成される継ぎ目部Ｔは、移動するベルト１５の内面に対して外側に位置させられる。
即ち、バケットコンベアは、元々バケット１３がベルト１５の外面側に位置しているので、継ぎ目部Ｔがベルト１５の外面側に位置させるのに支障はなく、継ぎ目部Ｔが上側プーリ１０および下側プーリー１１の外周面に接触させないための合理的構成となる。
継ぎ目部Ｔの固定部材１７は、一対の挾持体１８により構成し、挾持体１８はベルト体１６の移動方向と交差する挾持部１９を有して形成しているので、ベルト体１６の一方側端部１６Ａと他方側端部１６Ｂとを上下（前後）に重ね、この一方側端部１６Ａと他方側端部１６Ｂの夫々とを挾持体１８により挟持し、一方側端部１６Ａおよび他方側端部１６Ｂと一対の挾持体１８を止め部材２１により固定するから、一方側端部１６Ａおよび他方側端部１６Ｂと一対の挾持体１８は強固に固定される。
【００２１】
そして、一対の挾持体１８の一方側挾持部１９Ａと他方側挾持部１９Ｂは一方側端部１６Ａと他方側端部１６Ｂの夫々を上下側から挟持するので、継ぎ目部Ｔの一部構成する固定部材１７も、移動するベルト１５の内面に対して外側に位置させられ、上側プーリ１０および下側プーリー１１の外周面に接触するのを防止でき、ベルト１５と上側プーリ１０および下側プーリー１１の耐久性を向上させ、また、振動や異音（騒音）の発生を抑制する。
即ち、仮に、継ぎ目部Ｔがベルト１５の内面側にあると、継ぎ目部Ｔは上側プーリ１０および下側プーリー１１の外周面に乗り上げるように接触して、継ぎ目部Ｔの部分には継ぎ目部Ｔ以外の部分のベルト体１６に掛かる荷重よりも大なる荷重が掛かり、継ぎ目部Ｔ部分のベルト１５の耐久性が低下するが、本願の継ぎ目部Ｔは、固定部材１７のみならず、ベルト体１６の一方側端部１６Ａおよび他方側端部１６Ｂのみならず固定部材１７も上側プーリ１０および下側プーリー１１の外周面に乗り上げることはないから（図１４）、継ぎ目部Ｔが上側プーリ１０および下側プーリー１１の外周を通過するときのベルト１５に掛かる荷重を殆ど変化させず、ベルト１５の耐久性を向上させる。
【００２２】
各挾持体１８にはベルト体１６の移動方向と平行方向に屈曲させた押さえ部２５を設けているので、押さえ部２５はベルト体１６の一方側端部１６Ａおよび他方側端部１６Ｂとが、ベルト１５の外面に対して側方に突出させるように保持し、継ぎ目部Ｔを、移動するベルト１５の内面に対して常時外側に位置させられる。
また、押さえ部２５はベルト体１６の一方側端部１６Ａおよび他方側端部１６Ｂとベルト体１６の中間部分中間ベルト部１６Ｃとの境界部分が不必要に屈曲するのを抑制するので、ベルト１５の耐久性を低下させない。
この場合、押さえ部２５は、ベルト１５の一方側端部１６Ａおよび他方側端部１６Ｂとをベルト１５の外面に対して側方に突出させればよいので、挾持部１９の左右両側に夫々屈曲させて一体状に形成し、左右の押さえ部２５の間に切り欠いた空間部２６を形成しているから、固定部材１７の押さえ部２５と下側プーリー１１との重なる部分の面積が空間部２６の存在する分だけ減少させることができ、ベルト１５の内面と下側プーリー１１の外面との間に穀粒が入る面積を空間部２６により減少させ、穀粒の粉砕を抑制する。
【００２３】
また、空間部２６は、左右の押さえ部２５の間の挾持部１９の下面にも形成しているから、挾持部１９の下面と下側プーリー１１の外面とが重なる面積を空間部２６により減少させ、穀粒の粉砕を抑制する。
左右の押さえ部２５と空間部２６との関係は、左右の押さえ部２５の左右幅より空間部２６の左右幅を大きく形成しているから、固定部材１７の押さえ部２５と下側プーリー１１との重なる部分の面積を一層小さくして、ベルト１５と下側プーリー１１との間への穀粒の侵入を防止し、また、ベルト１５の振動発生を抑制する。
また、押さえ部２５は、挾持部１９との間に側面視において直角より大きい角度を有して屈曲するように構成しているので（図１０）、下側プーリー１１の下面側を押さえ部２５が通過するとき、押さえ部２５部分のベルト１５と下側プーリー１１の外周面との間の隙間Ｓを小さくし、穀粒がベルト１５の内面と下側プーリー１１の外面との間に入るのを防止する。
【００２４】
しかして、図１５〜図１８の下側プーリー１１の他の実施例では、取付孔３０を有するボス３１に円板３５を固定し、円板３５の外周にボス３１の軸心方向と平行の軸部材３６を所定間隔おいて複数設けて構成しているので、ベルト１５の内周面には軸部材３６が当接して、円板３５の外周は接触しないから、下側プーリー１１の外周とベルト１５の内周面との接触面積を減少させて穀粒の噛み込みを防止している。
【符号の説明】
【００２５】
１…本体ケース、２…下部ケース、３…供給ホッパー、４…中間ケース、５…上部ケース、６…排出口、８…駆動モータ、１０…上側プーリ、１１…下側プーリー、１３…バケット、１４…長孔、１５…ベルト、１６…ベルト体、１７…固定部材、１８…挾持体、１９…挾持部、２０…取付孔、２１…止め部材、２５…押さえ部、２６…空間部、３０…取付孔、３１…ボス、３２…アーム、３３…ドラム、３５…円板、３６…軸部材、４０…底板、４２…摺接体。
【図１】
2010275104.tif 000003
【図２】
2010275104.tif 000004
【図３】
2010275104.tif 000005
【図４】
2010275104.tif 000006
【図５】
2010275104.tif 000007
【図６】
2010275104.tif 000008
【図７】
2010275104.tif 000009
【図８】
2010275104.tif 000010
【図９】
2010275104.tif 000011
【図１０】
2010275104.tif 000012
【図１１】
2010275104.tif 000013
【図１２】
2010275104.tif 000014
【図１３】
2010275104.tif 000015
【図１４】
2010275104.tif 000016
【図１５】
2010275104.tif 000017
【図１６】
2010275104.tif 000018
【図１７】
2010275104.tif 000019
【図１８】
2010275104.tif 000020
【図１９】
2010275104.tif 000021